【事件の表示】
　特願２００４−　９６６３０「バッテリーパックとアダプター」拒絶査定不服審判事件〔平成１６年　８月２６日出願公開、特開２００４−２４２３５３〕について、次のとおり審決する。
【結　論】
　本件審判の請求は、成り立たない。
【理　由】
　
第一　経緯
　
１．手続
　本願は、平成５年１１月１５日の出願（特願平５−３０７０７６号）の一部を新たな特許出願とした平成１４年１０月７日の出願（特願２００２−２９３９７１号）の一部をさらに新たな特許出願とした平成１６年３月２９日の出願である
　本件は、本願についてされた拒絶査定（平成１８年５月８日付け）を不服とする平成１８年６月１５日の審判の請求である。
　
２．査定
　原査定の理由は、概略、下記のとおりである。
　　　　　記（査定の理由）
　本願各発明（請求項１および請求項２に係る各発明）は、下記刊行物に記載された各発明及び周知技術に基づいて当業者が容易に発明をすることができたものであるから、特許法第２９条第２項の規定により、特許を受けることができない。
　　　　　記
　刊行物１：特開平５−２３６３０５号公報
　刊行物２：実公昭６３−９９０７号公報（査定で引用）
　　
第二　本願発明
　
　本願の請求項１および請求項２に係る各発明は、本願明細書および図面（平成１６年４月２８日付けおよび平成１８年７月１８日付けの各手続補正書により補正された明細書および図面）の記載からみて、それぞれ、特許請求の範囲の請求項１および請求項２に記載したとおりのものであると認められるところ、そのうち、請求項２に係る発明（以下、本願発明ともいう）は下記のとおりのものである。
　　　　　記（請求項２に係る発明）
　ビデオカメラと結合面で着脱自在に装着されるアダプターにおいて、
　上記アダプターの上記結合面に設けられ、上記ビデオカメラの凹側部材に対して上方から着脱自在に結合される凸側部材と、
　上記凸側部材が上記凹側部材内に着脱自在に結合される際に上記凹側部材が上記結合面に対して挿入されるように、上記結合面の上記凸側部材の少なくとも下側に形成された凹所を備え、　
　上記凸側部材は上記結合面から突出しない状態に備えられ、
　上記凹側部材と上記凸側部材とがありとあり溝とからなる嵌合構造に構成されていることを特徴とするアダプター。
　
第三　査定の検討
　
１．刊行物の記載
　原査定において引用された刊行物１（特開平５−２３６３０５号公報）には、以下の記載が認められる。
　
　〈産業上の利用分野〉
　　（ア）「本発明は、例えば業務用のポータブルビデオカメラに使用して好適な筐体の着脱装置に関するものである。」（段落0001）
　〈カメラ用ヘッド筐体〉
　　（イ）「同図（注：図１、図２）において、符号２１で示すものは複数の固体撮像素子（図示せず）を内蔵するカメラヘッド用筐体で、正面部には前方に突出する撮影レンズ２２が装着されており、上面部には後方に開口する防滴グリル部２３が設けられている。このカメラヘッド用筐体２１の背面部には、前後方向に開口する角形窓２４と、この角形窓２４の側方に位置し後方に開口する背面視略三角形状の第１凹部２５と、この第１凹部２５および前記角形窓２４の上方に位置し後方に開口する第２凹部２６とが設けられている。また、このカメラヘッド用筐体２１には、前記第１凹部２５の底面部に開口する貫通孔２８が設けられ、さらに前記角形窓２４の下方に位置し後方に開口する２つのピン挿入孔２９およびこれらピン挿入孔２９の開口方向と同一の方向に開口するコネクタ収納用の凹部３０が設けられている。なお、前記角形窓２４と前記第２凹部２６とは、後方に開口する凹溝３１によって連通されている。」（段落0021）
　　（ウ）「３３は左右方向に延在するウェッジで、前記第２凹部２６の上方に位置し前記カメラヘッド用筐体２１に固定されており、上端面には上方に開口するＵ字状の位置決め用溝３４が形成されている。このウェッジ３３の上方端部裏側には、前方（撮影レンズ側）から後方（アダプター側）に向かって上る勾配をもつ傾斜面３３ａが形成されている。」（段落0023）
　〈アダプター用筐体〉
　　（エ）「５４は信号入出力プラグ５５を着脱するソケット５６を有するアダプター用筐体で、前記カメラヘッド用筐体２１に着脱自在に設けられており、前面部には前方に開口する上下２つの凹部５７，５８が設けられている。
　　このアダプター用筐体５３の両凹部５７，５８のうち凹部５７内には、前記ウェッジ３３の傾斜面３３ａに嵌合可能な傾斜面５９ａおよび下方に開口する切欠き５９ｂを各々下方端部裏側と下方端縁中央部に有するウェッジ５９が固定されている。また、この凹部５７内には、前記位置決め用溝３４に嵌合可能な係止ピン６０が取り付けられている。」（段落0030、段落0031）
　〈装着〉
　　（オ）「このように構成された筐体の着脱装置において、カメラヘッド用筐体２１とアダプター用筐体５４を装着するには、各ウェッジ３３，４６と各ウェッジ５９，６１を嵌合させることにより行う。」（段落0039）
　〈従来の技術、蟻溝とウエッジの嵌合〉
　　（カ）「従来、この種の筐体の着脱装置は、例えば実公昭６３−９９０７号公報に開示され、図１０および図１１に示すように構成されている。
　　　　　（・・中略・・）
　　６は回転磁気ヘッド装置７を内蔵するアダプター用筐体で、前記カメラヘッド用筐体１の背面部に後述する着脱装置を介して装着されており、内部にはテープカセット８を挿抜自在に装填されている。」（段落0004、段落0006）
　　（キ）「９はビデオカメラ筐体用の着脱装置で、各々が互いに嵌合可能な係止板１０と係止ユニット１１からなり、前記カメラヘッド用筐体１と前記アダプター用筐体６との間に設けられている。
　　このうち係止板１０には、後方に開口しかつ溝幅が上方から下方に向かって漸次小さくなる蟻溝１２が設けられている。
　　一方、係止ユニット１１には、前記係止板１０の上端面に対応する基部材１３と、この基部材１３の下方に設けられ前記蟻溝１２内に嵌合可能なウェッジ１４と、このウェッジ１４の両側方に設けられ前記係止板１０の各側端面に対応する２つのガイド１５とによって構成されている。」（段落0007〜段落0009）
　　（ク）「このように構成された筐体の着脱装置において、カメラヘッド用筐体１とアダプター用筐体６を装着するには、係止板１０の蟻溝１２内に係止ユニット１１のウェッジ１４を嵌合させることにより行う。」（段落0011）
　
２．対比
　本願発明と刊行物１に記載された発明とを対比すると以下の対応が認められる。
　（ａ）アダプター
　刊行物１には、カメラヘッド用筐体２１の背面部に固定された各ウェッジ３３、４６と、アダプター用筐体５４の前面部（凹部５７、５８）に固定された各ウェッジ５９、６１を嵌合させることにより、カメラヘッド用筐体２１にアダプター用筐体５４を装着する着脱装置が記載されている（記載オ、図１、図２）。
　本願発明にいう「ビデオカメラと結合面で着脱自在に装着されるアダプター（において、）」とする構成が開示されている。
　（ｂ）凸側部材、凹側部材
　刊行物１では、カメラヘッド用筐体２１のウェッジ３３の上方端部裏側には、前方（撮影レンズ側）から後方（アダプター側）に向かって上る勾配をもつ傾斜面３３ａが形成され（記載ウ）、アダプター用筐体５４のウェッジ５９には、ウェッジ３３の傾斜面３３ａに嵌合可能な傾斜面が形成されている。各傾斜面の傾斜方向の関係からみて、ウェッジ５９の傾斜面が上方からウェッジ３３の傾斜面に習って下降することにより、嵌合することは明らかである。
　刊行物１のビデオカメラの結合部材（ウェッジ３３）とアダプターの結合部材（ウェッジ５９）を、それぞれ、本願発明のビデオカメラの結合部材（凹側部材）とアダプターの結合部材（凸側部材）に対応させることができ、本願発明にいう「上記アダプターの上記結合面に設けられ、上記ビデオカメラの結合部材（凹側部材）に対して上方から着脱自在に結合されるアダプターの結合部材（凸側部材）と、」に相当する構成の開示が認められる。
　（ｃ）凹所
　刊行物１では、アダプター用筐体５４の前面部に前方に開口する凹部５７が設けられ、凹部５７にウェッジ５９が固定されるところ、凹部５７の形状は、図１によれば、「前面部のウェッジ５９の少なくとも下側に形成された凹部５７」であり、この点、本願発明にいう「前面部のアダプターの結合部材（凸側部材）の少なくとも下側に形成された凹所」と同じ構成である。
　また、刊行物１の図３または図４によれば、装着時には、ウェッジ３３がこの凹部５７に挿入される構造となっている。本願発明にいう「アダプターの結合部材（凸側部材）がビデオカメラの結合部材（凹側部材）内に着脱自在に結合される際に、ビデオカメラの結合部材（凹側部材）が上記結合面（アダプターの結合面）に対して挿入されるように、上記結合面のアダプターの結合部材（凸側部材）の少なくとも下側に形成された凹所を備え、」とする構成が開示されている。
　もっとも、本願発明は、アダプターの結合部材が「凸側部材」とされビデオカメラの結合部材が「凹側部材」とされているところ、刊行物１では、アダプターの結合部材（ウェッジ５９）もビデオカメラの結合部材（ウェッジ３３）も「傾斜面が形成されたウェッジ」であり、「凸側」であるか「凹側」であるかを特定することができない。相違が認められる。なお、この相違は、後記する嵌合構造の相違（凹側部材と凸側部材とがありとあり溝とからなる）と連係するものである。
　（ｄ）突出しない状態
　刊行物１では、図１によれば、ウェッジ５９はアダプター用筐体５４の前面部より突出している。これを「アダプターの結合部材（凸側部材）は結合面から突出しない状態に備えられ、」とする本願発明とは、相違が認められる。
　（ｅ）あり、あり溝
　刊行物１では、ウェッジ３３とウェッジ５９とが嵌合可能であることは前記のとおりであるところ、ウェッジ３３とウェッジ５９は「左右方向に延在する」（記載ウ）ものであり、嵌合構造は傾斜面の嵌合によるものである。これを「凹側部材と凸側部材とがありとあり溝とからなる」とする本願発明とは相違が認められる。
　
３．一致点・相違点
　本願発明と刊行物１記載の発明との一致点および相違点は、下記のとおりである。
　　　　　記（一致点）
　ビデオカメラと結合面で着脱自在に装着されるアダプターにおいて、
　アダプターの結合面に設けられ、ビデオカメラの結合部材（凹側部材）に対して上方から着脱自在に結合されるアダプターの結合部材（凸側部材）と、
　アダプターの結合部材（凸側部材）がビデオカメラの結合部材（凹側部材）内に着脱自在に結合される際に、ビデオカメラの結合部材（凹側部材）が上記結合面（アダプターの結合面）に対して挿入されるように、上記結合面のアダプターの結合部材（凸側部材）の少なくとも下側に形成された凹所を備え、
　ビデオカメラの結合部材（凹側部材）とアダプターの結合部材（凸側部材）とが嵌合構造に構成されているアダプター。
　　　　　記（相違点）
　〈相違点１〉
　本願発明では、「アダプターの結合部材（凸側部材）は結合面から突出しない状態で備えられ」るのに対して、
　刊行物１では、アダプターの結合部材（ウェッジ５９）は結合面（前面部）より突出している点。
　〈相違点２〉
　本願発明では、「ありとあり溝とからなる」嵌合構造であり、アダプターの結合部材が「凸側部材」（あり）とされビデオカメラの結合部材が「凹側部材」（あり溝）とされるのに対して、
　刊行物１では、「ウェッジとウェッジとからなる」嵌合構造であり、したがって、各部材が「凸側」であるか「凹側」であるかを特定することができない点。
　
４．相違点の判断
　〈相違点１について〉
　２つの筐体を強固に結合するには結合面が当接する構成を採用した方が有利であることは明らかである。刊行物１においても、「両筐体の装着時には強固なウェッジ嵌合力を得ることができる」（段落0054）と記載されており、２つの筐体を強固に結合する必要性が認識されている。また、刊行物１の図３および図４を参照すると、結合面が当接する構造が見てとれる。刊行物１の図１１においても結合面が当接する構造が見てとれる。他方、接合面から突出する部材があると結合面を当接させることができないことは自明である。
　相違点１に係る構成は、刊行物１において、上記有利性を考慮し、ウェッジ５９、６１をアダプター筐体５４の前面部から突出させないようにすることにより、当業者が容易になし得ることである。
　〈相違点２について〉
　刊行物１には、カメラヘッド用筐体１とアダプター用筐体６とを、「蟻溝１２とこれに嵌合可能なウェッジ１４（注：あり）」により装着することが記載されている（記載カ、キ、ク）。
　相違点２に係る構成は、刊行物１のウェッジ３３とウェッジ５９を、同刊行物に記載された「蟻溝１２とこれに嵌合可能なウェッジ１４（あり）」に置き換えることより、当業者が容易になし得ることである。
　〈効果等〉
　相違点１および相違点２に係る構成がいずれも当業者が容易になし得ることであることは前記のとおりであるところ、これらの相違点を総合しても格別の作用をなすとは認められない。本願発明の効果も、刊行物１の記載から予測することができる程度のものにすぎない。
　
５．まとめ
　以上、本願発明は、刊行物１に記載された発明に基づいて当業者が容易に発明をすることができたものであるから、特許法第２９条第２項の規定により特許を受けることができない。
　
第四　むすび
　
　以上、本願の請求項２に係る発明は、刊行物１に記載された発明に基づいて当業者が容易に発明をすることができたものであるから、特許法第２９条第２項の規定により特許を受けることができない。
　したがって、残る請求項１に係る発明について特に検討をするまでもなく、本願は拒絶をすべきものである。
　よって、結論のとおり審決する